(57)【特許請求の範囲】
【請求項１】
管路内で流体を一方向にのみ流通させる逆止弁であって、
前記逆止弁は、管路内で流体を通過させる開口を備える環状ベースと、この環状ベースに合わさり該開口を常時閉塞状態に維持する一方、流体の吸引動作に伴う弾性変形により該開口を開放する軟質材からなり、
該環状べースに、管路内で軟質材とともに嵌合して該環状べースを固定保持する嵌合部分と、弾性部材を受ける受け部を設けたことを特徴とする逆止弁。
【請求項２】
軟質材が、ゴム弾性体又はエラストマー体よりなる、請求項１記載の逆止弁。
【発明の詳細な説明】
【０００１】
【発明の属する技術分野】
本発明は、逆止弁に関し、該逆止弁の機能を確実に発揮させようとするものであり、以下、容器の口部に装着されるスプレーノズルを例にして説明する。
【０００２】
【従来の技術】
化粧料等を充填する容器では、該化粧料を均一に噴霧するスプレーノズルとして図１０に示すような構造のものが使用されている。
【０００３】
かかるスプレーノズルは、ノズルヘッド１０を押し下げることによってシリンダー１１内の内容物を加圧してノズル１２の先端から噴霧する一方、ノズルヘッド１０の初期位置への復帰に伴い吸入管１３を通して容器内の内容物をシリンダー１１内に吸引するようになっていて、吸引後における内容物の容器側への流出は、シリンダーの入側に配置したボールタイプの逆止弁１４にて阻止するようになっている。
【０００４】
ところで、近年では、内容物として液体の中にパウダー等の固形分を含むものも使用されるようになってきており、このような内容物を従来のスプレーノズルで噴霧すると図１１に示すようにシリンダー４の入側壁面にパウダー等の固形分が堆積していき、逆止弁１４のボールがその上に置かれる状況になることもあって、この場合、シリンダー４内に吸引した内容物が容器側へと流出してしまい、内容物の噴霧ができなくなるという不具合が懸念される。
【０００５】
【発明が解決しようとする課題】
本発明の課題は、開閉動作を確実に行なうことができる新規な逆止弁を提案するところにある。
【０００６】
【課題を解決するための手段】
本発明は、管路内で流体を一方向にのみ流通させる逆止弁であって、
前記逆止弁は、管路内で流体を通過させる開口を備える環状ベースと、この環状ベースに合わさり該開口を常時閉塞状態に維持する一方、流体の吸引動作に伴う弾性変形により該開口を開放する軟質材からなり、
該環状べースに、管路内で軟質材とともに嵌合して該環状べースを固定保持する嵌合部分と、弾性部材を受ける受け部を設けたことを特徴とする逆止弁である。
【０００７】
軟質材は、ゴム弾性体又はエラストマー体よりなるものが有利に適合する。
【０００８】
【発明の実施の形態】
以下、図面を参照して本発明をより具体的に説明する。
図１は本発明の参考例としての逆止弁をスプレーノズルに適用した例を示したものである。
【０００９】
図において１は容器の口元部でねじ止めする例で示したベース部材、２はベース部材１に固定保持されるシリンダーである。シリンダー２の底壁部分には内容物を吸引管ｓを通して吸引する吸引口２ａが形成される。
【００１０】
また、３はシリンダー２内に配置されるピストンである。このピストン３はその軸心に沿う向きで貫通する通路３ａを有する。
【００１１】
４はピストンガイドである。ピストンガイド４はピストン３の通路３ａに配置され、該通路３ａの開閉動作を導くものであって、シリンダー２およびピストン３と協働して流体の吸引、加圧のための空間領域（シリンダー室）Ｍを形成する。
【００１２】
また、５はシリンダー２の吸引口２ａを内容物の吸引時にのみ開放する逆止弁である。この逆止弁５は流体を通す開口ｈを備える環状ベース５ａと、この環状ベース５ａに合わさり該開口ｈを常時閉塞状態に維持するが流体の吸引動作に伴う弾性変形により該開口ｈを開放状態に保持する軟質材５ｂからなり、環状ベース５ａと一体になる嵌合部分５ｃがシリンダー２内で嵌合して逆止弁５そのものを固定保持するようになっている。
【００１３】
また、６は中空ステムであり、この中空ステム６はピストン３の外側にて液密状態を維持しつつ摺動可能に覆いかぶさるとともにピストンガイド４の端部と係合する。
【００１４】
番号７は中空ステム６の突端に適合するノズルヘッドである。ノズルヘッド７は中空ステム６の内部空間６ａを通して流出する流体を外界に噴霧する噴霧ノズル７ａを備える。
【００１５】
また、番号８は第１の弾性部材、９は第２の弾性部材である。第１の弾性部材８はシリンダー２の空間領域Ｍでその一端を逆止弁５の受け部５ｄに係合させてピストンガイド４をピストン３に押し当てて該ピストン３の通路３ａを閉塞状態に維持する機能を有するものである。また、第２の弾性部材９はピストン３と中空ステム６との相互間に配置されるものとして例示してあり、ピストン３をピストンガイド４に押し当てるとともに流体の噴出圧力（内圧）を調整する機能を有する。
【００１６】
空間領域Ｍに流体が存在している状態でノズルヘッド７を押圧して中空ステム６およびこれにつながるピストン３を押し下げると、吸引口２ａは逆止弁５にて閉塞されているので該空間領域Ｍの圧力が上昇する。
【００１７】
そうすると、図２、図３に示すように、中空ステム６の内端６ｂがピストン３の端面３ｂに突き当たるまで通路３ａが開放され、その時の圧力のもとで流体は中空ステム６の内部空間６ａを通ってノズルヘッド７の噴霧ノズル７ａから外界へと噴霧されることになる。
【００１８】
ノズルヘッド７を押し切ったところでそれに付加した荷重を取り除くと、第１の弾性部材８による復元力にて中空ステム６は図４、図５に示す如くピストン３とともに初期姿勢に戻ることとなり、この時、空間領域Ｍは減圧される。
【００１９】
空間領域Ｍが減圧されると、逆止弁５の要部を拡大して図６に示すように、逆止弁５の軟質材５ｂが環状ベース５ａから離反するように弾性変形し吸引管ｓ、吸引口２ａ、開口ｈを経て空間領域Ｍ内に流体が流入する。
【００２０】
この状態で再度、ノズルヘッド７に対して荷重を付加することにより流体の噴霧が可能となる。
【００２１】
参考例として示した逆止弁５は従来のようなボールを使用したものとは異なり環状ベース５ａに密着する軟質材５ｂを弾性変形させることによって開口ｈを開放するようにしたものであって、流体中にパウダーの如き固形分が含まれていてもその開閉動作に何ら悪影響を与えることがなく、長期にわたって安定した噴霧が可能になる。
【００２２】
図７は本発明の参考例としての逆止弁の他の構成例を示したものである。
この例は、第１の弾性部材８を受ける受け部５ｄを環状ベース５ａの先端部分に設けて軟質材５ｂの変形領域の拡大を図った構造のものであり、この構造によればシリンダー２との間で形成される隙間の範囲で軟質材５ｂを確実に弾性変形させることができる。
【００２３】
図８は本発明に従う逆止弁の構成例を示した図である。
この例は上掲図７と同様に第１の弾性部材８を受ける受け部５ｄを環状ベース５ａの先端部分に設けるとともに、環状ベース５ａを軟質材５ｂとともにシリンダー２の内壁面に嵌合させて固定保持する構造のものであって、これによれば軟質材５ｂの変形領域が拡大されるだけでなく、該軟質材５ｂの管路内における位置決めが確実になる。
【００２４】
図９（ａ）（ｂ）に上掲図７及び図８に示した逆止弁５の外観を示す。
【００２５】
軟質材５ｂは、ゴム弾性体あるいはエラストマー体が適用できるが、開口ｈの閉塞と開放を確実に行なえるものであれば他の材料を使用することもできる。
【００２６】
【発明の効果】
本発明によれば、内容物に固形分が含まれていても逆止弁の開閉動作が長期間にわたって確実に維持され、その結果として内容物の安定的な供給が可能となる。
【図面の簡単な説明】
【図１】  本発明の参考例としての逆止弁を装着したスプレーノズルの構成説明図である。
【図２】  図１に示したスプレーノズルの作動要領の説明図である。
【図３】  図１に示したスプレーノズルの作動要領の説明図である。
【図４】  図１に示したスプレーノズルの作動要領の説明図である。
【図５】  図１に示したスプレーノズルの作動要領の説明図である。
【図６】  図１に示したスプレーノズルの要部を拡大して示した図である。
【図７】  本発明の参考例としての逆止弁の他の構成例を示した図である。
【図８】  本発明に従う逆止弁の構成例を示した図である。
【図９】（ａ）は図７の外観斜視図であり、（ｂ）は図８の外観斜視図である。
【図１０】  従来構造のスプレーノズルの構成を示した図である。
【図１１】  図１０の要部を示した図である。
【符号の説明】
１  ベース部材
２  シリンダー
２ａ  吸引口
３  ピストン
３ａ  通路
３ｂ  端面
４  ピストンガイド
５  逆止弁
５ａ  環状ベース
５ｂ  軟質材
５ｃ  嵌合部分
５ｄ  受け部
６  中空ステム
６ａ  内部空間
７  ノズルヘッド
７ａ  噴霧ノズル
８  第１の弾性部材
９  第２の弾性部材
１０  ノズルヘッド
１１  シリンダー
１２  ノズル
１３  吸入管
１４  逆止弁
ｓ  吸入管
Ｍ  空間領域
ｈ  開口
【図１】
0004318413.tif 000002
【図２】
0004318413.tif 000003
【図３】
0004318413.tif 000004
【図４】
0004318413.tif 000005
【図５】
0004318413.tif 000006
【図６】
0004318413.tif 000007
【図７】
0004318413.tif 000008
【図８】
0004318413.tif 000009
【図９】
0004318413.tif 000010
【図１０】
0004318413.tif 000011
【図１１】
0004318413.tif 000012